(57)【要約】【課題】電力、温熱及び冷熱を供給することができる電力・温冷熱供給システムを提供する。【解決手段】電力・温冷熱供給システム１は、外部から供給される流体Ｒ０と第一冷媒Ｒ１とを熱交換する冷凍サイクル部２と、冷凍サイクル部２で熱交換された流体Ｒ０から冷熱負荷Ａに冷熱を供給する冷熱供給部３と、冷凍サイクル部２で熱交換された第一冷媒Ｒ１と第二冷媒Ｒ２１，Ｒ２２とを熱交換させるヒートポンプ部４と、ヒートポンプ部４で熱交換された第二冷媒Ｒ２１，Ｒ２２から温熱負荷Ｂ１，Ｂ２に温熱を供給する温熱供給部７と、ヒートポンプ部４で熱交換された第二冷媒Ｒ２１，Ｒ２２に基づいて、電力を発電する発電部８とを備えることを特徴とする。【選択図】図１
2014169836.tif 000002
【特許請求の範囲】
【請求項１】
外部から供給される流体と第一冷媒とを熱交換する冷凍サイクル部と、
該冷凍サイクル部で熱交換された前記流体から冷熱負荷に冷熱を供給する冷熱供給部と、
前記冷凍サイクル部で熱交換された前記第一冷媒と第二冷媒とを熱交換させるヒートポンプ部と、
該ヒートポンプ部で熱交換された前記第二冷媒から温熱負荷に温熱を供給する温熱供給部と、
該ヒートポンプ部で熱交換された前記第二冷媒に基づいて、電力を発電する発電部とを備えることを特徴とする電力・温冷熱供給システム。
【請求項２】
請求項１に記載の電力・温冷熱供給システムにおいて、
前記ヒートポンプ部は、前記冷凍サイクル部側から前記発電部側に向かって配設された複数の熱交換器を有し、
前記温熱供給部は、複数の前記熱交換器で熱交換され熱回収した前記第二冷媒を、それぞれ複数の前記温熱負荷に供給することを特徴とする電力・温冷熱供給システム。
【請求項３】
請求項１または請求項２に記載の電力・温冷熱供給システムにおいて、
前記発電部は、発電した前記電力を、前記電力・温冷熱供給システムが備える圧縮機及びポンプに供給することを特徴とする電力・温冷熱供給システム。
【請求項４】
請求項１から請求項３のいずれか一項に記載の電力・温冷熱供給システムにおいて、
前記温熱負荷及び前記発電部は、それぞれ開閉弁を介して前記ヒートポンプ部に接続されていることを特徴とする電力・温冷熱供給システム。
【発明の詳細な説明】
【技術分野】
【０００１】
本発明は、電力・温冷熱供給システムに関する。
【背景技術】
【０００２】
従来より、需要に合わせて複数のエネルギーを供給する装置が使用されている。この一例として、外部冷熱負荷に対して冷熱を出力するとともに外部温熱負荷及び吸収式冷凍機に温熱を出力する電動ヒートポンプと、電動ヒートポンプから出力される温熱を熱交換して外部冷熱負荷に対して冷熱を出力する吸収式冷凍機とを備える熱源システムが提案されている（下記特許文献１参照）。
【先行技術文献】
【特許文献】
【０００３】
【特許文献１】特開平２０１２−１４１０９７号公報
【発明の概要】
【発明が解決しようとする課題】
【０００４】
しかしながら、上記特許文献１に記載の熱源システムでは、温熱及び冷熱を供給することはできるが、電力を供給することができない。このため、電力需要には対応することができず、様々な需要に応じた最適なエネルギー供給を行うことができないという問題点がある。
【０００５】
本発明は上記の課題を解決するためになされたものであって、電力、温熱及び冷熱を供給することができる電力・温冷熱供給システムを提供する。
【課題を解決するための手段】
【０００６】
上記目的を達成するために、本発明は以下の手段を採用している。
すなわち、本発明に係る電力・温冷熱供給システムは、外部から供給される流体と第一冷媒とを熱交換する冷凍サイクル部と、該冷凍サイクル部で熱交換された前記流体から冷熱負荷に冷熱を供給する冷熱供給部と、前記冷凍サイクル部で熱交換された前記第一冷媒と第二冷媒とを熱交換させるヒートポンプ部と、該ヒートポンプ部で熱交換された前記第二冷媒から温熱負荷に温熱を供給する温熱供給部と、該ヒートポンプ部で熱交換された前記第二冷媒に基づいて、電力を発電する発電部とを備えることを特徴とする。
【０００７】
このように構成された電力・温冷熱供給システムは、冷熱供給部が、冷凍サイクル部で熱交換された流体から冷熱負荷に冷熱を供給することができる。また、温熱供給部は、ヒートポンプ部で熱交換された第二冷媒から温熱負荷に温熱を供給することができる。さらに、発電部は、ヒートポンプ部で熱交換された第二冷媒に基づいて、電力を発電することができる。
【０００８】
また、本発明に係る電力・温冷熱供給システムは、前記ヒートポンプ部は、前記冷凍サイクル部側から前記発電部側に向かって配設された複数の熱交換器を有し、前記温熱供給部は、複数の前記熱交換器で熱交換され熱回収した前記第二冷媒を、それぞれ複数の前記温熱負荷に供給することが好ましい。
【０００９】
このように構成された電力・温冷熱供給システムは、複数の熱交換器がそれぞれ熱交換をして、段階的な温度の温熱を生成することができる。よって、温熱供給部は、需要に応じて段階的な温度の温熱を供給することができる。
【００１０】
また、本発明に係る電力・温冷熱供給システムは、前記発電部は、発電した前記電力を、前記電力・温冷熱供給システムが備える圧縮機及びポンプに供給してもよい。
【００１１】
このように構成された電力・温冷熱供給システムは、発電部が発電した電力を外部電力負荷に接続することもでき、また所要電力の一部として圧縮機及びポンプの駆動に利用することができる。
【００１２】
また、本発明に係る電力・温冷熱供給システムは、前記温熱負荷及び前記発電部は、それぞれ開閉弁を介して前記ヒートポンプ部に接続されていてもよい。
【００１３】
このように構成された電力・温冷熱供給システムは、開閉弁の開閉により温熱負荷及び発電部への第二冷媒の供給量を調整することができるため、需要に応じて温熱及び電力の供給を調整することができる。
【発明の効果】
【００１４】
本発明に係る電力・温冷熱供給システムによれば、冷熱供給部が冷熱を供給し、温熱供給部が温熱を供給し、発電部が電力を発電することができる。よって、電力、温熱及び冷熱を供給することができる。
【図面の簡単な説明】
【００１５】
【図１】本発明の一実施形態に係る電力・温冷熱供給システムの構成を示す系統図である。
【発明を実施するための形態】
【００１６】
以下、本発明の一実施形態に係る電力・温冷熱供給システムについて、図１を参照して説明する。
図１に示すように、電力・温冷熱供給システム１は、外部から供給される流体Ｒ０と第一冷媒Ｒ１とを熱交換する冷凍サイクル部２と、冷熱を出力する冷熱供給部３と、第一冷媒Ｒ１と第二冷媒Ｒ２１，Ｒ２２とを熱交換させるヒートポンプ部４と、温熱を出力する温熱供給部７と、電力を発電する発電部８とを備えている。
【００１７】
冷凍サイクル部２は、第一熱交換器２０を有している。
第一熱交換器２０には、外部から供給される流体Ｒ０を流通させる冷凍回路２１が接続されるとともに、第一冷媒Ｒ１を循環させる一次回路４１が接続されている。
【００１８】
冷凍回路２１は、外部に設けられた冷熱負荷Ａに接続され、流体Ｒ０を循環させている。
【００１９】
一次回路４１は、第一熱交換器２０と後述するヒートポンプ部４を構成する第二熱交換器４０とを循環するように設けられている。また、一次回路４１には、第一熱交換器２０の下流側に第一冷媒Ｒ１を圧縮する第一圧縮機４２（圧縮機）が設けられ、第二熱交換器４０の下流側には第一冷媒Ｒ１を膨張させる第一膨張弁４３が設けられている。
【００２０】
第一熱交換器２０は、冷凍回路２１から導入される流体Ｒ０と一次回路４１から導入される第一冷媒Ｒ１とを熱交換して、流体Ｒ０から熱回収して流体Ｒ０を降温させる。
【００２１】
例えば、第一冷媒Ｒ１としてＲ−１３４ａ等の代替フロンを採用すると、第一熱交換器２０に導入される流体Ｒ０が常温の場合、第一熱交換器２０から導出する流体Ｒ０は約５〜１０℃に冷却される。
また、第一冷媒Ｒ１の選択により、第一熱交換器２０から導出する流体Ｒ０の温度を可変できる。
【００２２】
冷熱供給部３は、冷凍回路２１において第一熱交換器２０の下流側に設けられた調整弁３１を有している。この冷熱供給部３は、調整弁３１を開閉することにより、第一熱交換器２０で熱交換された流体Ｒ０から冷熱負荷Ａに冷熱を供給・供給停止することができる。また、調整弁３１の開閉度を調整することで、流体Ｒ０の供給量を調整して適切な冷熱量を供給することができる。
【００２３】
ヒートポンプ部４は、第一冷媒Ｒ１と第一温熱用冷媒Ｒ２１（第二冷媒）とを熱交換する第二熱交換器４０（熱交換器）と、第一温熱用冷媒Ｒ２１と第二温熱用冷媒Ｒ２２（第二冷媒）とを熱交換する第三熱交換器５０（熱交換器）とを有している。
【００２４】
第二熱交換器４０には、第一冷媒Ｒ１を循環させる一次回路４１が接続されるとともに、第一温熱用冷媒Ｒ２１を循環させる二次回路５１が接続されている。
【００２５】
二次回路５１は、第二熱交換器４０と第三熱交換器５０とを循環するように設けられている。また、二次回路５１には、第二熱交換器４０の下流側に第一温熱用冷媒Ｒ２１を圧縮する第二圧縮機５２（圧縮機）が設けられ、第三熱交換器５０の下流側には第一温熱用冷媒Ｒ２１を膨張させる第二膨張弁５３が設けられている。
【００２６】
第二熱交換器４０は、一次回路４１から導入される第一冷媒Ｒ１と二次回路５１から導入される第一温熱用冷媒Ｒ２１とを熱交換して、第一冷媒Ｒ１から熱回収して第一温熱用冷媒Ｒ２１を昇温させる。
例えば、第一冷媒Ｒ１と熱交換した第一温熱用冷媒Ｒ２１は、約４０℃まで昇温する。
【００２７】
第三熱交換器５０には、第一温熱用冷媒Ｒ２１を循環させる二次回路５１が接続されるとともに、第二温熱用冷媒Ｒ２２を循環させる三次回路６１が接続されている。
【００２８】
三次回路６１は、第三熱交換器５０と発電部８とを循環するように設けられている。また、三次回路６１には、第三熱交換器５０の下流側にポンプ６２が設けられ、ポンプ６２の下流側には開閉弁６３が設けられている。
【００２９】
第三熱交換器５０は、二次回路５１から導入される第一温熱用冷媒Ｒ２１と三次回路６１から導入される第二温熱用冷媒Ｒ２２とを熱交換して、第一温熱用冷媒Ｒ２１から熱回収して第二温熱用冷媒Ｒ２２を昇温させる。
例えば、第一温熱用冷媒Ｒ２１と熱交換した第二温熱用冷媒Ｒ２２は、約７０〜９０℃まで温度上昇する。
【００３０】
温熱供給部７は、第二熱交換器４０で熱交換された第一温熱用冷媒Ｒ２１を二次回路５１内でバイパスさせる第一バイパス路７６と、第一バイパス路７６に接続された熱交換器Ｄと、熱交換器Ｄに接続された第一温熱回路７１とを有している。さらに、温熱供給部７は、第三熱交換器５０で熱交換された第二温熱用冷媒Ｒ２２を三次回路６１内でバイパスさせる第二バイパス路７７と、第二バイパス路７７に接続された熱交換器Ｂと、熱交換器Ｂに接続された第二温熱回路７２とをとを有している。
【００３１】
第一バイパス路７６は、一端が二次回路５１における第二熱交換器４０の下流側に接続され、他端が二次回路５１における第二膨張弁５３の下流側に接続されている。
【００３２】
また、第一バイパス路７６には開閉弁７３が設けられている。この開閉弁７３を開閉することにより、第一温熱用冷媒Ｒ２１を二次回路５１から第一バイパス路７６に導出・導出停止することができる。また、開閉弁７３の開閉度を調整することで、第一温熱用冷媒Ｒ２１の第一バイパス路７６への導出量を調整することができる。
【００３３】
熱交換器Ｄには、第一温熱用冷媒Ｒ２１が流通する第一バイパス路７６が接続されるとともに、流体Ｒ２６を循環させる第一温熱回路７１が接続されている。
【００３４】
第一温熱回路７１は、外部に設けられた第一温熱負荷Ｂ１（温熱負荷）に接続され、流体Ｒ２６を循環させている。換言すると、第一温熱負荷Ｂ１は、第一温熱回路７１、熱交換器Ｄ、第一バイパス路７６及び開閉弁７３を介して第二熱交換器４０に接続されている。
【００３５】
熱交換器Ｄは、第一バイパス路７６から導入される第一温熱用冷媒Ｒ２１と第一温熱回路７１を循環する流体Ｒ２６とを熱交換して、流体Ｒ２６を昇温させる。
【００３６】
第二バイパス路７７は、一端が三次回路６１におけるポンプ６２の下流側に接続され、他端が三次回路６１における後述する第四熱交換器８０の下流側に接続されている。
【００３７】
また、第二バイパス路７７には開閉弁７４が設けられている。この開閉弁７４を開閉することにより、第二温熱用冷媒Ｒ２２を三次回路６１から第二バイパス路７７に導出・導出停止することができる。また、開閉弁７４の開閉度を調整することで、第二温熱用冷媒Ｒ２２の第二バイパス路７７への導出量を調整することができる。
【００３８】
熱交換器Ｂには、第二温熱用冷媒Ｒ２２が流通する第二バイパス路７７が接続されるとともに、流体Ｒ２７を循環させる第二温熱回路７２が接続されている。
【００３９】
第二温熱回路７２は、外部に設けられた第二温熱負荷Ｂ２（温熱負荷）に接続され、流体Ｒ２７を循環させている。換言すると、第二温熱負荷Ｂ２は、第二温熱回路７２、熱交換器Ｂ、第二バイパス路７７及び開閉弁７４を介して第三熱交換器５０に接続されている。
【００４０】
熱交換器Ｂは、第二バイパス路７７から導入される第二温熱用冷媒Ｒ２２と第二温熱回路７２を循環する流体Ｒ２７とを熱交換して、流体Ｒ２７を昇温させる。
【００４１】
発電部８は、発電機８２が設けられた四次回路８１と、三次回路６１を循環する第二温熱用冷媒Ｒ２２と四次回路８１を流通する電力用冷媒Ｒ３とを熱交換する第四熱交換器８０と、四次回路８１に接続された発電機８２とを有している。
【００４２】
また、発電部８は、三次回路６１に設けられた開閉弁６３を介して、第三熱交換器５０に接続され、三次回路６１を循環する第二温熱用冷媒Ｒ２２と熱交換された電力用冷媒Ｒ３に基づいて、電力を発電する。
【００４３】
四次回路８１は、電力用冷媒Ｒ３を流通させるように、両端が第四熱交換器８０に接続されている。また、四次回路８１には、第四熱交換器８０の下流側にはタービン８５が設けられ、タービン８５の下流側には第五熱交換器８４が設けられ、第五熱交換器８４の下流側にはポンプ８３が設けられている。この第五熱交換器８４には冷却塔８６が接続されている。
【００４４】
発電機８２は、タービン８５に接続され、タービン８５のタービンロータ（不図示）の回転で発電する。この発電機８２と外部に設けられた電力負荷Ｃとは、主出力回線９０を介して電気的に接続されている。
【００４５】
また、発電機８２と一次回路４１に設けられた第一圧縮機４２とは、第一出力回線９１を介して電気的に接続されている。また、発電機８２と二次回路５１に設けられた第二圧縮機５２とは、第二出力回線９２を介して電気的に接続されている。また、発電機８２と三次回路６１に設けられたポンプ６２とは、第三出力回線９３を介して電気的に接続されている。また、発電機８２と四次回路８１に設けられたポンプ８３とは、第四出力回線９４を介して電気的に接続されている。
【００４６】
このように、発電部８は、発電した電力を、第一出力回線９１を介して接続された第一圧縮機４２、第二出力回線９２を介して接続された第二圧縮機５２、第三出力回線９３を介して接続されたポンプ６２及び第四出力回線９４を介して接続されたポンプ８３に、必要な電力の一部として供給できる
【００４７】
また、第五熱交換器８４は、四次回路８１を循環する電力用冷媒Ｒ３と冷却塔８６を循環する流体Ｒ２９とを熱交換して、流体Ｒ２９から熱回収して電力用冷媒Ｒ３を降温させる。
【００４８】
このように、ヒートポンプ部４は、冷凍サイクル部２側から発電部８側に向かって複数の熱交換器で構成されている。本実施形態では、ヒートポンプ部４は、第二熱交換器４０と、第二熱交換器４０の下流側に配された第三熱交換器５０とで構成されている。
【００４９】
次に、上記のように構成された電力・温冷熱供給システム１の動作について説明する。
冷熱負荷Ａと第一熱交換器２０との間を循環している流体Ｒ０は、冷凍回路２１を流通して第一熱交換器２０に導入される。第一熱交換器２０は、流体Ｒ０と一次回路４１から導入された第一冷媒Ｒ１とを熱交換する。これにより、流体Ｒ０は冷却されるとともに、第一冷媒Ｒ１は昇温する。
【００５０】
冷却された流体Ｒ０は、冷熱供給部３の調整弁３１を開くことにより冷熱負荷Ａに供給される。
一方、昇温した第一冷媒Ｒ１は、一次回路４１を流通して第一圧縮機４２に導入され、第一圧縮機４２で高圧にされる。
【００５１】
高圧にされた第一冷媒Ｒ１は、第二熱交換器４０に導入される。第二熱交換器４０は、第一冷媒Ｒ１と二次回路５１から導入された第一温熱用冷媒Ｒ２１とを熱交換する。これにより、第一温熱用冷媒Ｒ２１は昇温するとともに、第一冷媒Ｒ１は降温する。
【００５２】
降温した第一冷媒Ｒ１は、一次回路４１を流通して第一膨張弁４３に導入され、第一膨張弁４３で膨張されて第一熱交換器２０に導入される。
【００５３】
一方、昇温した第一温熱用冷媒Ｒ２１は、第一バイパス路７６に設けられた開閉弁７３を開くことにより熱交換器Ｄに導入される。熱交換器Ｄは、第一温熱用冷媒Ｒ２１と第一温熱回路７１を循環している流体Ｒ２６とを熱交換する。そして、昇温した流体Ｒ２６は、第一温熱回路７１を流通して第一温熱負荷Ｂ１に供給される。
【００５４】
また、昇温した第一温熱用冷媒Ｒ２１は、二次回路５１を流通して第二圧縮機５２に導入され、第二圧縮機５２で高圧にされる。
【００５５】
ここで、高圧にされた第一温熱用冷媒Ｒ２１は、第三熱交換器５０に導入される。第三熱交換器５０は、第一温熱用冷媒Ｒ２１と三次回路６１から導入された第二温熱用冷媒Ｒ２２とを熱交換する。これにより、第二温熱用冷媒Ｒ２２は昇温するとともに、第一温熱用冷媒Ｒ２１は降温する。
【００５６】
降温した第一温熱用冷媒Ｒ２１は、二次回路５１を流通して第二膨張弁５３に導入され、第二膨張弁５３で膨張されて第二熱交換器４０に導入される。
【００５７】
一方、昇温した第二温熱用冷媒Ｒ２２は、三次回路６１を流通する。
ここで、昇温した第二温熱用冷媒Ｒ２２は、第二バイパス路７７に設けられた開閉弁７４を開くことにより、ポンプ６２の駆動力で熱交換器Ｂに導入される。熱交換器Ｂは、第二温熱用冷媒Ｒ２２と第二温熱回路７２を循環している流体Ｒ２７とを熱交換する。そして、昇温した流体Ｒ２７は、第二温熱回路７２を流通して第二温熱負荷Ｂ２に供給される。
【００５８】
また、昇温した第二温熱用冷媒Ｒ２２は、三次回路６１に設けられた開閉弁６３を開けることにより、ポンプ８３の駆動力で第四熱交換器８０に導入される。
【００５９】
第四熱交換器８０は、第二温熱用冷媒Ｒ２２と四次回路８１から導入された電力用冷媒Ｒ３とを熱交換する。これにより、電力用冷媒Ｒ３は昇温するとともに、第二温熱用冷媒Ｒ２２は降温する。降温した第二温熱用冷媒Ｒ２２は、三次回路６１を流通して第三熱交換器５０に導入される。
【００６０】
一方、昇温した電力用冷媒Ｒ３は、タービン８５に導入される。導入された電力用冷媒Ｒ３はタービン８５のタービンロータを回転させる。タービン８５と接続された発電機８２は、この回転力に基づいて電力を発電する。
【００６１】
発電された電力は、主出力回線９０を介して電力負荷Ｃに、第一出力回線９１を介して一次回路４１に設けられた第一圧縮機４２に、第二出力回線９２を介して二次回路５１に設けられた第二圧縮機５２に、第三出力回線９３を介して三次回路６１に設けられたポンプ６２に、第四出力回線９４を介して四次回路８１に設けられたポンプ８３に、それぞれ必要な電力の一部として供給される。
【００６２】
一方、タービン８５から導出された電力用冷媒Ｒ３は、第五熱交換器８４に導入され、冷却塔８６を循環する流体Ｒ２９との間で熱交換された降温され、ポンプ８３から第四熱交換器８０に導入される。
【００６３】
このように構成された電力・温冷熱供給システム１では、冷熱供給部３は、冷凍サイクル部２で熱交換された流体Ｒ０から冷熱を冷熱負荷Ａに供給することができる。また、温熱供給部７は、第二熱交換器４０、第三熱交換器５０で熱交換された第一温熱用冷媒Ｒ２１、第二温熱用冷媒Ｒ２２から温熱を第一温熱負荷Ｂ１、第二温熱負荷Ｂ２にそれぞれ供給することができる。さらに、発電機８２は、第二温熱用冷媒Ｒ２２と熱交換された電力用冷媒Ｒ３に基づいて、電力を発電する。そして、発電した電力を主出力回線９０を介して電力負荷Ｃ、第一出力回線９１を介して第一圧縮機４２、第二出力回線９２を介して第二圧縮機５２、第三出力回線９３を介してポンプ６２及び第四出力回線９４を介してポンプ８３に、それぞれ必要な電力の一部を供給することができる。したがって、電力・温冷熱供給システム１は、電力、温熱及び冷熱を供給することができる。
【００６４】
また、これら冷凍サイクル部２、ヒートポンプ部４及び発電部８は同時に稼動することができるため、電力、温熱及び冷熱を同時に供給することができる。
【００６５】
また、第二熱交換器４０で熱交換された第一温熱用冷媒Ｒ２１の温度は、第三熱交換器５０で熱交換された第二温熱用冷媒Ｒ２２の温度よりも低い。よって、需要に応じて、第一温熱回路７１、第二温熱回路７２から、それぞれ第一温熱用冷媒Ｒ２１と熱交換された流体Ｒ２６、第二温熱用冷媒Ｒ２２と熱交換されたＲ２７を適量供給することができる。したがって、需要に応じて段階的な温度の温熱を供給することができる。
【００６６】
また、発電機８２が発電した電力を、第一圧縮機４２、第二圧縮機５２及びポンプ６２，８３を駆動させるために必要な電力の一部として供給することができる。
【００６７】
また、開閉弁７３の開閉により熱交換器Ｄへの第一温熱用冷媒Ｒ２１の供給量を調整でき、開閉弁７４の開閉により熱交換器Ｂへの第二温熱用冷媒Ｒ２２の供給量を調整でき、開閉弁６３の開閉により第四熱交換器８０への第二温熱用冷媒Ｒ２２の供給量を調整できる。よって、需要に応じて電力及び温熱の供給を調整することができる。例えば、昼間の電力需要が多い時間帯においては、発電部８に導入する第二温熱用冷媒Ｒ２２の量を多くし、夜間の電力需要が少ない時間帯においては、温熱供給部７に導入する第一温熱用冷媒Ｒ２１、第二温熱用冷媒Ｒ２２の量を多くする等の調整をすることができる。
【００６８】
なお、上述した実施の形態において示した各構成部材の諸形状や組み合わせ等は一例であって、本発明の主旨から逸脱しない範囲において設計要求等に基づき種々変更可能である。
【００６９】
また、本実施形態においては、ヒートポンプ部４を構成する熱交換器は第二熱交換器４０と第三熱交換器５０との２個で構成されている。しかし、本発明はこれに限られず、３個以上の熱交換器で構成されていてもよい。この場合には、温熱負荷に供給される第二冷媒の温度をさらに細かく段階的に設定することができるため、多様な需要に応じた温熱の供給が可能となる。あるいは、熱交換器が１個で構成されていてもよい。この場合には、簡易な構成でありながら、電力、温熱及び冷熱を供給することができる。
【００７０】
また、本実施形態では、発電機８２で発電した電力は、電力負荷Ｃ、第一圧縮機４２、第二圧縮機５２及びポンプ６２，８３に供給されている。しかし、本発明はこれに限られず、電力負荷Ｃのみに供給される構成であってもよい。
【符号の説明】
【００７１】
１…電力・温冷熱供給システム
２…冷凍サイクル部
３…冷熱供給部
４…ヒートポンプ部
７…温熱供給部
８…発電部
４０…第二熱交換器（熱交換器）
４２…第一圧縮機（圧縮機）
５０…第三熱交換器（熱交換器）
５２…第二圧縮機（圧縮機）
６３…開閉弁
７３…開閉弁
７４…開閉弁
Ａ…冷熱負荷
Ｂ１…第一温熱負荷（温熱負荷）
Ｂ２…第二温熱負荷（温熱負荷）
Ｒ０…流体
Ｒ１…第一冷媒
Ｒ２１…第一温熱用冷媒（第二冷媒）
Ｒ２２…第二温熱用冷媒（第二冷媒）
【図１】
2014169836.tif 000003